(57)【特許請求の範囲】
【請求項１】
無線通信システムで任意の接続過程で基地局において資源割り当て情報を伝送するための方法であって、前記方法は、
端末からコードを受信することと、
前記資源割り当て情報が前記端末に対する帯域幅要請のためのものであるか、レンジング手順のためのものであるかを示す第１のフィールドを含むＣＤＭＡ（ｃｏｄｅ  ｄｉｖｉｓｉｏｎ  ｍｕｌｔｉｐｌｅ  ａｃｃｅｓｓ）割り当てＡ−ＭＡＰ（Ａｄｖａｎｃｅｄ−ＭＡＰ）ＩＥ（ｉｎｆｏｒｍａｔｉｏｎ  ｅｌｅｍｅｎｔ）を介して前記資源割り当て情報を伝送することと
を含み、
前記資源割り当て情報がレンジング手順のためのものであることを前記第１のフィールドが示す場合に、前記ＣＤＭＡ割り当てＡ−ＭＡＰ  ＩＥは、前記レンジング手順のための資源がアップリンクで割り当てられるか、ダウンリンクで割り当てられるかを示す第２のフィールドをさらに含む、方法。
【請求項２】
前記資源割り当て情報が帯域幅要請のためのものであることを前記第１のフィールドが示す場合に、前記ＣＤＭＡ割り当てＡ−ＭＡＰ  ＩＥは、バーストサイズを計算するのに使用されるオフセットを示す第３のフィールドを含まず、前記資源割り当て情報がレンジング手順のためのものであることを前記第１のフィールドが示す場合に、前記ＣＤＭＡ割り当てＡ−ＭＡＰ  ＩＥは、前記オフセットを示す前記第３のフィールドを含む、請求項１に記載の方法。
【請求項３】
前記ＣＤＭＡ割り当てＡ−ＭＡＰ  ＩＥは、前記割り当てられた資源がかかっているサブフレームの個数を示す第４のフィールドをさらに含む、請求項１に記載の方法。
【請求項４】
前記ＣＤＭＡ割り当てＡ−ＭＡＰ  ＩＥは、ＲＡＩＤ及びマスキング指示子でマスキングされたＣＲＣを含み、前記ＲＡＩＤは、前記コードのインデックス及び前記コードが伝送された資源によって決定される、請求項１に記載の方法。
【請求項５】
無線通信システムで任意の接続過程で端末において資源割り当て情報を受信するための方法であって、前記方法は、
基地局にコードを伝送することと、
前記資源割り当て情報が前記基地局からの帯域幅要請のためのものであるか、レンジング手順のためのものであるかを示す第１のフィールドを含むＣＤＭＡ（ｃｏｄｅ  ｄｉｖｉｓｉｏｎ  ｍｕｌｔｉｐｌｅ  ａｃｃｅｓｓ）割り当てＡ−ＭＡＰ（Ａｄｖａｎｃｅｄ−ＭＡＰ）ＩＥ（ｉｎｆｏｒｍａｔｉｏｎ  ｅｌｅｍｅｎｔ）を介して前記資源割り当て情報を受信することと
を含み、
前記資源割り当て情報がレンジング手順のためのものであることを前記第１のフィールドが示す場合に、前記ＣＤＭＡ割り当てＡ−ＭＡＰ  ＩＥは、前記レンジング手順のための資源がアップリンクで割り当てられるか、ダウンリンクで割り当てられるかを示す第２のフィールドをさらに含む、方法。
【請求項６】
前記資源割り当て情報が帯域幅要請のためのものであることを前記第１のフィールドが示す場合に、前記ＣＤＭＡ割り当てＡ−ＭＡＰ  ＩＥは、バーストサイズを計算するのに使用されるオフセットを示す第３のフィールドを含まず、前記資源割り当て情報がレンジング手順のためのものであることを前記第１のフィールドが示す場合に、前記ＣＤＭＡ割り当てＡ−ＭＡＰ  ＩＥは、前記オフセットを示す前記第３のフィールドを含む、請求項５に記載の方法。
【請求項７】
前記ＣＤＭＡ割り当てＡ−ＭＡＰ  ＩＥは、前記割り当てられた資源がかかっているサブフレームの個数を示す第４のフィールドをさらに含む、請求項５に記載の方法。
【請求項８】
前記ＣＤＭＡ割り当てＡ−ＭＡＰ  ＩＥは、ＲＡＩＤ及びマスキング指示子でマスキングされたＣＲＣを含み、前記ＲＡＩＤは、前記コードのインデックス及び前記コードが伝送された資源によって決定される、請求項５に記載の方法。
【請求項９】
任意の接続を試みる端末からコードを受信する受信モジュールと、
資源割り当て情報が前記端末に対する帯域幅要請のためのものであるか、レンジング手順のためのものであるかを示す第１のフィールドを含むＣＤＭＡ（ｃｏｄｅ  ｄｉｖｉｓｉｏｎ  ｍｕｌｔｉｐｌｅ  ａｃｃｅｓｓ）割り当てＡ−ＭＡＰ（Ａｄｖａｎｃｅｄ−ＭＡＰ）ＩＥ（ｉｎｆｏｒｍａｔｉｏｎ  ｅｌｅｍｅｎｔ）を介して前記資源割り当て情報を伝送する伝送モジュールと
を含む基地局であって、
前記資源割り当て情報がレンジング手順のためのものであることを前記第１のフィールドが示す場合に、前記ＣＤＭＡ割り当てＡ−ＭＡＰ  ＩＥは、前記レンジング手順のための資源がアップリンクで割り当てられるか、ダウンリンクで割り当てられるかを示す第２のフィールドをさらに含む、基地局。
【請求項１０】
前記資源割り当て情報が帯域幅要請のためのものであることを前記第１のフィールドが示す場合に、前記ＣＤＭＡ割り当てＡ−ＭＡＰ  ＩＥは、バーストサイズを計算するのに使用されるオフセットを示す第３のフィールドを含まず、前記資源割り当て情報がレンジング手順のためのものであることを前記第１のフィールドが示す場合に、前記ＣＤＭＡ割り当てＡ−ＭＡＰ  ＩＥは、前記オフセットを示す前記第３のフィールドを含む、請求項９に記載の基地局。
【請求項１１】
前記ＣＤＭＡ割り当てＡ−ＭＡＰ  ＩＥは、前記割り当てられた資源がかかっているサブフレームの個数を示す第４のフィールドをさらに含む、請求項９に記載の基地局。
【請求項１２】
前記ＣＤＭＡ割り当てＡ−ＭＡＰ  ＩＥは、ＲＡＩＤ及びマスキング指示子でマスキングされたＣＲＣを含み、前記ＲＡＩＤは、前記コードのインデックス及び前記コードが伝送された資源によって決定される、請求項９に記載の基地局。
【請求項１３】
任意の接続を試みるために基地局にコードを伝送する伝送モジュールと、
資源割り当て情報が前記基地局からの帯域幅要請のためのものであるか、レンジング手順のためのものであるかを示す第１のフィールドを含むＣＤＭＡ（ｃｏｄｅ  ｄｉｖｉｓｉｏｎ  ｍｕｌｔｉｐｌｅ  ａｃｃｅｓｓ）割り当てＡ−ＭＡＰ（Ａｄｖａｎｃｅｄ−ＭＡＰ）ＩＥ（ｉｎｆｏｒｍａｔｉｏｎ  ｅｌｅｍｅｎｔ）を介して前記資源割り当て情報を受信する受信モジュールと
を含む端末であって、
前記資源割り当て情報がレンジング手順のためのものであることを前記第１のフィールドが示す場合に、前記ＣＤＭＡ割り当てＡ−ＭＡＰ  ＩＥは、前記レンジング手順のための資源がアップリンクで割り当てられるか、ダウンリンクで割り当てられるかを示す第２のフィールドをさらに含む、端末。
【請求項１４】
前記資源割り当て情報が帯域幅要請のためのものであることを前記第１のフィールドが示す場合に、前記ＣＤＭＡ割り当てＡ−ＭＡＰ  ＩＥは、バーストサイズを計算するのに使用されるオフセットを示す第３のフィールドを含まず、前記資源割り当て情報がレンジング手順のためのものであることを前記第１のフィールドが示す場合に、前記ＣＤＭＡ割り当てＡ−ＭＡＰ  ＩＥは、前記オフセットを示す前記第３のフィールドを含む、請求項１３に記載の端末。
【請求項１５】
前記ＣＤＭＡ割り当てＡ−ＭＡＰ  ＩＥは、前記割り当てられた資源がかかっているサブフレームの個数を示す第４のフィールドをさらに含む、請求項１３に記載の端末。
【請求項１６】
前記ＣＤＭＡ割り当てＡ−ＭＡＰ  ＩＥは、ＲＡＩＤ及びマスキング指示子でマスキングされたＣＲＣを含み、前記ＲＡＩＤは、前記コードのインデックス及び前記コードが伝送された資源によって決定される、請求項１３に記載の端末。
【発明の詳細な説明】
【技術分野】
【０００１】
本発明は、無線通信システムに関するもので、より詳細には、無線通信システムで任意の接続過程で資源割り当て情報を送受信する方法及び装置に関するものである。
【背景技術】
【０００２】
まず、従来技術に係るレンジング（Ｒａｎｇｉｎｇ）手順について図１を参照して説明する。図１は、従来技術に係るレンジング手順を示した図である。
【０００３】
端末は、初期接続を試みたり、ハンドオーバーをする場合、レンジング手順を行う。図１に示すように、端末は、基地局にレンジングコードを伝送し（Ｓ１１０）、レンジングコードを受信した基地局は、全ての端末が見ることのできるアップリンクマップ（ｕｐｌｉｎｋ−ＭＡＰ、以下、「ＵＬ−ＭＡＰ」という。）メッセージを通してＣＤＭＡ割り当てＩＥ（ＣＤＭＡ  Ａｌｌｏｃａｔｉｏｎ  ｉｎｆｏｒｍａｔｉｏｎ  ｅｌｅｍｅｎｔ）を伝送し、端末にアップリンク資源を割り当てる（Ｓ１２０）。
【０００４】
端末は、割り当てられたアップリンク資源領域を通してレンジング要請（ｒａｎｇｉｎｇ  ｒｅｑｕｅｓｔ、以下、「ＲＮＧ−ＲＥＱ」という。）メッセージを伝送する（Ｓ１３０）。端末が初期接続のためにレンジング手順を行う場合は、初期レンジング用の連結ＩＤ（ｃｏｎｎｅｃｔｉｏｎ  ＩＤ、以下、「ＣＩＤ」という。）でＲＮＧ−ＲＥＱメッセージを伝達する。
【０００５】
そして、ＲＮＧ−ＲＥＱメッセージを受信した基地局は、全ての端末が見ることのできるダウンリンクマップ（ｄｏｗｎｌｉｎｋ−ＭＡＰ、以下、「ＤＬ−ＭＡＰ」という。）メッセージを通してレンジング応答（ｒａｎｇｉｎｇ  ｒｅｓｐｏｎｓｅ、以下、「ＲＮＧ−ＲＳＰ」という。）メッセージを伝送するダウンリンク資源を割り当てる（Ｓ１４０）。そして、割り当てられたダウンリンク資源を通してＲＮＧ−ＲＳＰメッセージを伝達する（Ｓ１５０）。端末が初期接続のためにレンジング手順を行う場合、基地局は初期レンジング用のＣＩＤでＲＮＧ−ＲＳＰメッセージを伝達する。
【０００６】
そして、従来技術に係る帯域幅要請手順を見ると、端末が基地局に帯域幅要請コード（ＢＲ  ｃｏｄｅ）を伝送すると、基地局は、ＣＤＭＡ割り当てＵＬ−ＭＡＰ  ＩＥを通してアップリンク資源を割り当てる。そして、端末は、割り当てられたアップリンク資源を通して帯域幅要請メッセージを伝送し、帯域幅要請メッセージを受信した基地局は端末にアップリンク資源を割り当て、端末は、割り当てられたアップリンク資源を通してデータを伝送する。
【０００７】
すなわち、端末は、レンジング手順と帯域幅要請手順で基地局にコードを伝送し、コードを受信した基地局は、ＣＤＭＡ割り当てＵＬ−ＭＡＰ  ＩＥを通してアップリンク資源を割り当てる。
【０００８】
表１は、従来技術に係るＣＤＭＡ割り当てＵＬ−ＭＡＰ  ＩＥのフォーマットを示す。
【０００９】
【表１】
0005528544.tif 000002
従来技術によると、レンジングを試みた全ての端末は、ＲＮＧ−ＲＳＰメッセージを確認した後、自分に伝送されたメッセージであるかどうかを知ることができる。
【００１０】
端末は、ＲＮＧ−ＲＳＰメッセージ内に含まれたレンジングコードのインデックスとレンジングコードが伝送された時点に対する情報を通してＲＮＧ−ＲＳＰメッセージが自分に伝送されたものであるかどうかを確認する。そして、端末は、ＲＮＧ−ＲＳＰメッセージが自分に伝送されたものでない場合、ＲＮＧ−ＲＳＰメッセージを無視する。
【００１１】
すなわち、従来技術によると、端末が不必要にＲＮＧ−ＲＳＰメッセージをデコーディングしなければならないという問題がある。
【００１２】
そして、８０２．１６ｍシステムでは、帯域幅要請チャンネルとレンジングが異なる形態で設計された。したがって、基地局がレンジングコードを受信した場合と帯域幅要請コードを受信した場合、端末に伝送しなければならない情報が異なる。
【００１３】
したがって、８０２．１６ｍシステムでのＣＤＭＡ割り当てＩＥは、適切な情報を含み、８０２．１６ｍシステムの基本的なＡ−ＭＡＰ  ＩＥ形態に合わせて設計される必要がある。
【発明の概要】
【発明が解決しようとする課題】
【００１４】
従来技術によると、端末が不必要なデコーディングを行わなければならないという問題があり、８０２．１６ｍシステムに合うＣＤＭＡ割り当てＩＥが必要である。
【００１５】
本発明の目的は、８０２．１６ｍシステムに合うＣＤＭＡ割り当てＩＥの構造を提案することにある。
【００１６】
本発明の他の目的は、任意の接続過程で効率的に資源割り当て情報を送受信する方法を提供することにある。
【００１７】
本発明で達成しようとする技術的課題は、以上言及した技術的課題に制限されず、言及していない他の技術的課題は、下記の記載から本発明の属する技術分野で通常の知識を有する者に明確に理解されるだろう。
【課題を解決するための手段】
【００１８】
前記課題を達成するために、本発明の一様相に係る無線通信システムで任意の接続過程で基地局の資源割り当て情報を伝送する方法において、基地局は、端末からコードを受信し、前記端末に帯域幅要請のための資源を割り当てるか、それともレンジングのための資源を割り当てるかを示すフィールドを含むＣＤＭＡ割り当てＡ−ＭＡＰ  ＩＥ（ｃｏｄｅ  ｄｉｖｉｓｉｏｎ  ｍｕｌｔｉｐｌｅ  ａｃｃｅｓｓ  Ａｄｖａｎｃｅｄ−ＭＡＰ  ｉｎｆｏｒｍａｔｉｏｎ  ｅｌｅｍｅｎｔ）を伝送する。
【００１９】
前記課題を達成するために、本発明の他の様相に係る無線通信システムで任意の接続過程で端末の資源割り当て情報を受信する方法において、端末は、基地局にコードを伝送し、前記基地局から帯域幅要請のための資源を割り当てるか、それともレンジングのための資源を割り当てるかを示すフィールドを含むＣＤＭＡ割り当てＡ−ＭＡＰ  ＩＥを受信する。
【００２０】
このとき、前記コードがレンジングコードである場合、前記ＣＤＭＡ割り当てＡ−ＭＡＰ  ＩＥは、前記ＣＤＭＡ割り当てＡ−ＭＡＰ  ＩＥがアップリンク資源を割り当てるか、それともダウンリンク資源を割り当てるかを示すフィールドをさらに含むことができる。
【００２１】
また、前記ＣＤＭＡ割り当てＡ−ＭＡＰ  ＩＥは、前記コードが帯域幅要請コードであると、バーストサイズを計算するのに使用されるオフセットを示すフィールドを含まず、前記コードがレンジングコードであると、前記オフセットを示すフィールドを含むことができる。
【００２２】
また、前記ＣＤＭＡ割り当てＡ−ＭＡＰ  ＩＥは、割り当てられた資源がかかっているサブフレームの個数を示すフィールドをさらに含むことができる。
【００２３】
前記ＣＤＭＡ割り当てＡ−ＭＡＰ  ＩＥはＲＡＩＤ及びマスキング指示子でマスキングされたＣＲＣを含み、前記ＲＡＩＤは、前記コードのインデックス及び前記コードが伝送された資源によって決定することができる。
【００２４】
前記課題を達成するために、本発明の更に他の様相に係る端末は、任意の接続を試みる端末からコードを受信する受信モジュール；及び前記端末に帯域幅要請のための資源を割り当てるか、それともレンジングのための資源を割り当てるかを示すフィールドを含むＣＤＭＡ割り当てＡ−ＭＡＰ  ＩＥを伝送する伝送モジュールを含む。
【００２５】
前記課題を達成するために、本発明の更に他の様相に係る基地局は、任意の接続を試みるために基地局にコードを伝送する伝送モジュール；及び前記基地局から帯域幅要請のための資源を割り当てるか、それともレンジングのための資源を割り当てるかを示すフィールドを含むＣＤＭＡ割り当てＡ−ＭＡＰ  ＩＥを受信する受信モジュールを含む。
本明細書は、例えば、以下の項目も提供する。
（項目１）
無線通信システムで任意の接続過程で基地局の資源割り当て情報を伝送する方法において、
端末からコードを受信すること；及び
前記端末に帯域幅要請のための資源を割り当てるか、それともレンジングのための資源を割り当てるかを示すフィールドを含むＣＤＭＡ割り当てＡ−ＭＡＰ  ＩＥ（ｃｏｄｅ  ｄｉｖｉｓｉｏｎ  ｍｕｌｔｉｐｌｅ  ａｃｃｅｓｓ  Ａｄｖａｎｃｅｄ−ＭＡＰ  ｉｎｆｏｒｍａｔｉｏｎ  ｅｌｅｍｅｎｔ）を伝送することを含む資源割り当て情報伝送方法。
（項目２）
前記コードがレンジングコードである場合、前記ＣＤＭＡ割り当てＡ−ＭＡＰ  ＩＥは、前記ＣＤＭＡ割り当てＡ−ＭＡＰ  ＩＥがアップリンク資源を割り当てるか、それともダウンリンク資源を割り当てるかを示すフィールドをさらに含む、項目１に記載の資源割り当て情報伝送方法。
（項目３）
前記ＣＤＭＡ割り当てＡ−ＭＡＰ  ＩＥは、前記コードが帯域幅要請コードであると、バーストサイズを計算するのに使用されるオフセットを示すフィールドを含まず、前記コードがレンジングコードであると、前記オフセットを示すフィールドを含む、項目１に記載の資源割り当て情報伝送方法。
（項目４）
前記ＣＤＭＡ割り当てＡ−ＭＡＰ  ＩＥは、割り当てられた資源がかかっているサブフレームの個数を示すフィールドをさらに含む、項目１に記載の資源割り当て情報伝送方法。
（項目５）
前記ＣＤＭＡ割り当てＡ−ＭＡＰ  ＩＥは、ＲＡＩＤ及びマスキング指示子でマスキングされたＣＲＣを含み、前記ＲＡＩＤは、前記コードのインデックス及び前記コードが伝送された資源によって決定される、項目１に記載の資源割り当て情報伝送方法。
（項目６）
無線通信システムで任意の接続過程で端末の資源割り当て情報を受信する方法において、基地局にコードを伝送すること；及び
前記基地局から帯域幅要請のための資源を割り当てるか、それともレンジングのための資源を割り当てるかを示すフィールドを含むＣＤＭＡ割り当てＡ−ＭＡＰ  ＩＥ（ｃｏｄｅ  ｄｉｖｉｓｉｏｎ  ｍｕｌｔｉｐｌｅ  ａｃｃｅｓｓ  Ａｄｖａｎｃｅｄ−ＭＡＰ  ｉｎｆｏｒｍａｔｉｏｎ  ｅｌｅｍｅｎｔ）を受信することを含む資源割り当て情報受信方法。
（項目７）
前記コードがレンジングコードである場合、前記ＣＤＭＡ割り当てＡ−ＭＡＰ  ＩＥは、前記ＣＤＭＡ割り当てＡ−ＭＡＰ  ＩＥがアップリンク資源を割り当てるか、それともダウンリンク資源を割り当てるかを示すフィールドをさらに含む、項目６に記載の資源割り当て情報受信方法。
（項目８）
前記ＣＤＭＡ割り当てＡ−ＭＡＰ  ＩＥは、前記コードが帯域幅要請コードであると、バーストサイズを計算するのに使用されるオフセットを示すフィールドを含まず、前記コードがレンジングコードであると、前記オフセットを示すフィールドを含む、項目６に記載の資源割り当て情報受信方法。
（項目９）
前記ＣＤＭＡ割り当てＡ−ＭＡＰ  ＩＥは、割り当てられた資源がかかっているサブフレームの個数を示すフィールドをさらに含む、項目６に記載の資源割り当て情報受信方法。
（項目１０）
前記ＣＤＭＡ割り当てＡ−ＭＡＰ  ＩＥは、ＲＡＩＤ及びマスキング指示子でマスキングされたＣＲＣを含み、前記ＲＡＩＤは、前記コードのインデックス及び前記コードが伝送された資源によって決定される、項目６に記載の資源割り当て情報受信方法。
（項目１１）
任意の接続を試みる端末からコードを受信する受信モジュール；及び
前記端末に帯域幅要請のための資源を割り当てるか、それともレンジングのための資源を割り当てるかを示すフィールドを含むＣＤＭＡ割り当てＡ−ＭＡＰ  ＩＥ（ｃｏｄｅ  ｄｉｖｉｓｉｏｎ  ｍｕｌｔｉｐｌｅ  ａｃｃｅｓｓ  Ａｄｖａｎｃｅｄ−ＭＡＰ  ｉｎｆｏｒｍａｔｉｏｎ  ｅｌｅｍｅｎｔ）を伝送する伝送モジュールを含む基地局。
（項目１２）
前記コードがレンジングコードである場合、前記ＣＤＭＡ割り当てＡ−ＭＡＰ  ＩＥは、前記ＣＤＭＡ割り当てＡ−ＭＡＰ  ＩＥがアップリンク資源を割り当てるか、それともダウンリンク資源を割り当てるかを示すフィールドをさらに含む、項目１１に記載の基地局。
（項目１３）
前記ＣＤＭＡ割り当てＡ−ＭＡＰ  ＩＥは、前記コードが帯域幅要請コードであると、バーストサイズを計算するのに使用されるオフセットを示すフィールドを含まず、前記コードがレンジングコードであると、前記オフセットを示すフィールドを含む、項目１１に記載の基地局。
（項目１４）
前記ＣＤＭＡ割り当てＡ−ＭＡＰ  ＩＥは、割り当てられた資源がかかっているサブフレームの個数を示すフィールドをさらに含む、項目１１に記載の基地局。
（項目１５）
前記ＣＤＭＡ割り当てＡ−ＭＡＰ  ＩＥは、ＲＡＩＤ及びマスキング指示子でマスキングされたＣＲＣを含み、前記ＲＡＩＤは、前記コードのインデックス及び前記コードが伝送された資源によって決定されることを特徴とする、項目１に記載の基地局。
（項目１６）
任意の接続を試みるために基地局にコードを伝送する伝送モジュール；及び
前記基地局から帯域幅要請のための資源を割り当てるか、それともレンジングのための資源を割り当てるかを示すフィールドを含むＣＤＭＡ割り当てＡ−ＭＡＰ  ＩＥ（ｃｏｄｅ  ｄｉｖｉｓｉｏｎ  ｍｕｌｔｉｐｌｅ  ａｃｃｅｓｓ  Ａｄｖａｎｃｅｄ−ＭＡＰ  ｉｎｆｏｒｍａｔｉｏｎ  ｅｌｅｍｅｎｔ）を受信する受信モジュールを含む端末。
（項目１７）
前記コードがレンジングコードである場合、前記ＣＤＭＡ割り当てＡ−ＭＡＰ  ＩＥは、前記ＣＤＭＡ割り当てＡ−ＭＡＰ  ＩＥがアップリンク資源を割り当てるか、それともダウンリンク資源を割り当てるかを示すフィールドをさらに含む、項目１６に記載の端末。
（項目１８）
前記ＣＤＭＡ割り当てＡ−ＭＡＰ  ＩＥは、前記コードが帯域幅要請コードであると、バーストサイズを計算するのに使用されるオフセットを示すフィールドを含まず、前記コードがレンジングコードであると、前記オフセットを示すフィールドを含む、項目１６に記載の端末。
（項目１９）
前記ＣＤＭＡ割り当てＡ−ＭＡＰ  ＩＥは、割り当てられた資源がかかっているサブフレームの個数を示すフィールドをさらに含む、項目１６に記載の端末。
（項目２０）
前記ＣＤＭＡ割り当てＡ−ＭＡＰ  ＩＥは、ＲＡＩＤ及びマスキング指示子でマスキングされたＣＲＣを含み、前記ＲＡＩＤは、前記コードのインデックス及び前記コードが伝送された資源によって決定される、項目１６に記載の端末。
【発明の効果】
【００２６】
本発明の各実施形態によると、任意の接続過程で効率的に端末に資源割り当て情報を伝送することができる。
【００２７】
本発明で得られる効果は、以上言及した各効果に制限されず、言及していない他の効果は、下記の記載から本発明の属する技術分野で通常の知識を有する者に明確に理解されるだろう。
【図面の簡単な説明】
【００２８】
【図１】従来技術に係るレンジング手順を示した図である。
【図２】本発明の第４の実施形態で提案するＣＤＭＡ割り当てＡ−ＭＡＰ  ＩＥを用いたレンジング手順を示した図である。
【図３】本発明の各実施形態を具現できる移動端末及び基地局の構成を示す図である。
【発明を実施するための形態】
【００２９】
以下、本発明に係る好適な実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。以下の詳細な説明は、本発明の完全な理解を提供するために具体的な細部事項を含む。しかし、当業者であれば、本発明がこのような具体的な細部事項がなくても実施可能であることを知ることができる。例えば、以下の詳細な説明は、移動通信システムが３ＧＰＰ  ＬＴＥ−Ａシステム（又は端末）である場合を仮定して具体的に説明するが、３ＧＰＰ  ＬＴＥ−Ａシステム（又は端末）の特有の事項を除いては、他の任意の移動通信システムにも適用可能である。
【００３０】
いくつかの場合、本発明の概念が曖昧になることを避けるために、公知の構造及び装置を省略したり、各構造及び装置の核心機能を中心にしたブロック図の形式で示すことができる。また、本明細書全体にわたって同一の構成要素については同一の図面符号を使用して説明する。
【００３１】
併せて、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ダウンリンク受信主体としてのリレーノード（Ｒｅｌａｙ  Ｎｏｄｅ）などのような移動又は固定型のユーザー端機器を通称するものと仮定する。また、基地局は、Ｎｏｄｅ  Ｂ、ｅＮｏｄｅ  Ｂ、Ｂａｓｅ  Ｓｔａｔｉｏｎ、ダウンリンク受信主体としてのリレーノードなどのような端末と通信するネットワーク端の任意のノードを通称するものと仮定する。
【００３２】
まず、任意の接続過程で帯域幅要請コード又はレンジングコードを受信した基地局が端末に資源を割り当てるために伝送する、本発明の実施形態に係るＣＤＭＡ割り当てＡ−ＭＡＰ  ＩＥが含むことのできる各フィールドについて説明する。
【００３３】
ＣＤＭＡ割り当てＡ−ＭＡＰ  ＩＥは、資源割り当て情報、ＨＡＲＱ（Ｈｙｂｒｉｄ  ａｕｔｏｍａｔｉｃ  ｒｅｐｅａｔ  ｒｅｑｕｅｓｔ）関連情報、任意の接続特性、電力制御に関する情報を含むことができる。
【００３４】
資源割り当て情報と関連して、ＣＤＭＡ割り当てＡ−ＭＡＰ  ＩＥは、資源単位のタイプ（Ｔｙｐｅ  ｏｆ  ｒｅｓｏｕｒｃｅ  ｕｎｉｔ）フィールド、位置（Ｌｏｃａｔｉｏｎ）フィールド、割り当てサイズ（Ａｌｌｏｃａｔｉｏｎ  ｓｉｚｅ）フィールド、変調及びコーディング方式（Ｍｏｄｕｌａｔｉｏｎ  Ｃｏｄｉｎｇ  Ｓｃｈｅｍｅ、以下、「ＭＣＳ」という。）フィールド、ロング（Ｌｏｎｇ）ＴＴＩフィールド、割り当てレリバンス（Ａｌｌｏｃａｔｉｏｎ  Ｒｅｌｅｖａｎｃｅ）フィールドを含むことができる。
【００３５】
資源単位のタイプフィールドは、割り当てられる資源が分散された資源単位（ｄｉｓｔｒｉｂｕｔｅｄ  ｒｅｓｏｕｒｃｅ  ｕｎｉｔ、以下、「ＤＲＵ」という。）であるか、それとも連続した資源単位（ｃｏｎｔｉｎｕｅｄ  ｒｅｓｏｕｒｃｅ  ｕｎｉｔ、以下、「ＣＲＵ」という。）であるかを示す。
【００３６】
位置フィールドは、割り当てられる資源の開始点を示し、割り当てサイズフィールドは、割り当てられる資源のサイズを示す。
【００３７】
ＭＣＳフィールドは変調及びコーディング方式を示すが、可能な全てのＭＣＳを表現するためには、ＭＣＳフィールドは４ビットで構成しなければならない。しかし、ＭＣＳフィールドが一部のＭＣＳのみを表現するようにし、ＭＣＳフィールドのビットを減少させることができる。そして、ＭＣＳフィールドは、Ｉｓｉｚｅｏｆｆｓｅｔ値に表現することができる。Ｉｓｉｚｅｏｆｆｓｅｔは、バーストサイズインデックスを算定するときに使用されるオフセット値であって、Ｉｓｉｚｅｏｆｆｓｅｔと割り当てサイズでＭＣＳを推定することができる。したがって、基地局がＣＤＭＡ割り当てＡ−ＭＡＰ  ＩＥを通してＩｓｉｚｅｏｆｆｓｅｔを知らせると、端末はＭＣＳを知ることができる。
【００３８】
ロングＴＴＩフィールドは、割り当てられた資源がかかっているサブフレームの個数を示す。すなわち、ロングＴＴＩフィールドが０ｂ０であると、割り当てられた資源が一つのサブフレームにかかっていることを意味し、ロングＴＴＩフィールドが０ｂ１であると、周波数分割デュプレックス（Ｆｒｅｑｕｅｎｃｙ  Ｄｉｖｉｓｉｏｎ  Ｄｕｐｌｅｘ、ＦＤＤ）では割り当てられた資源が４個のアップリンクサブフレームにかかっていることを意味し、時分割デュプレックス（Ｔｉｍｅ  Ｄｉｖｉｓｉｏｎ  Ｄｕｐｌｅｘ、ＴＤＤ）では割り当てられた資源がフレーム内の全てのアップリンクサブフレームにかかっていることを意味する。
【００３９】
ＣＤＭＡ割り当てＡ−ＭＡＰ  ＩＥを通して割り当てる資源がかかるサブフレームの個数を１個又は任意の値に予め定義する場合、ロングＴＴＩフィールドは伝送する必要がない。
【００４０】
帯域幅要請メッセージ又はレンジング要請メッセージは、端末が任意の接続過程で伝送するメッセージである。ところが、任意の接続を行う各端末には、資源を周波数軸上で割り当てるよりも時間軸上で割り当てる方がセルカバレッジ側面でより効率的である。すなわち、周波数軸上で３個の論理資源単位（ｌｏｇｉｃａｌ  ｒｅｓｏｕｒｃｅ  ｕｎｉｔ、以下、「ＬＲＵ」という。）を割り当てるよりも時間軸上で３個のＬＲＵを割り当てる方がより効果的である。
【００４１】
任意の接続を試みる端末は位置を知ることができなく、セルの縁部に位置する可能性もある。したがって、任意の接続を試みる端末は、高い伝送パワーで信号を伝送しなければならない。ところが、端末の最大伝送パワーが限定されているので、一時点で３個のＬＲＵを伝送すると、各ＬＲＵの信号は端末の伝送パワーの１／３の伝送パワーで伝送される。しかし、３個のサブフレームでＬＲＵを１個ずつ伝送すると、毎時点ごとに端末の最大伝送パワーでＬＲＵの信号が伝送される。
【００４２】
したがって、帯域幅要請確認応答（ｂａｎｄｗｉｄｔｈ  ｒｅｑｕｅｓｔ  ａｃｋｎｏｗｌｅｄｇｅｍｅｎｔ、ＢＲＡＣＫ）Ａ−ＭＡＰ  ＩＥ、ＣＤＭＡ割り当てＡ−ＭＡＰ  ＩＥなどの資源を割り当てるＡ−ＭＡＰ  ＩＥは、端末に資源を時間軸上で割り当てるかどうかを知らせるための指示子であるロングＴＴＩ指示子を含むことができる。
【００４３】
割り当てレリバンスフィールドは、ダウンリンクとアップリンクサブフレームの比率によるサブフレームインデックスであって、Ａ−ＭＡＰ領域が２サブフレームごとに起きるか、それとも毎サブフレームごとに起きるかを示す。ＣＤＭＡ割り当てに対する該当のレリバンスを特定サブフレームと予め定義する場合、割り当てレリバンスフィールドは伝送される必要がない。
【００４４】
ＨＡＲＱ関連情報と関連して、ＣＤＭＡ割り当てＩＥはＨＦＡフィールド及びＡＣＩＤフィールドを含むことができる。
【００４５】
ＨＦＡフィールドは、ＨＡＲＱフィードバックが伝送される資源を示す。特定規則にしたがってデータ伝送に対するＡＣＫチャンネルがマッピングされる場合、ＨＦＡフィールドは伝送される必要がない。
【００４６】
ＡＣＩＤフィールドは、ＨＡＲＱチャンネル識別子を示す。ＡＣＩＤフィールドを省略する場合、端末は、任意の値と認識して動作するようになる。このとき、任意の値は、使用可能なＡＣＩＤの最初の値（０ｂ０００）又は最後の値（０ｂ１１１）と予め定義して使用することができる。基地局は、該当の用途のＡＣＩＤを一般のデータ伝送のために割り当てない。一般のデータ伝送のためのＡＣＩＤは、ＵＬ基本割り当て（ｂａｓｉｃ  ａｓｓｉｇｎｍｅｎｔ）Ａ−ＭＡＰ  ＩＥを通して割り当てることができる。
【００４７】
任意接続の特性には、端末が伝送したＢＲコード又はレンジングコード、ＢＲコード又はレンジングコードが伝送された資源がある。ＢＲコードは、ＢＲシーケンス、ＢＲ指示子に取り替えることができ、レンジングコードは、レンジングシーケンス、レンジング指示子に取り替えることができる。そして、コードが伝送された資源は、コードが伝送された伝送機会（ｔｒａｎｓｍｉｓｓｉｏｎ  ｏｐｐｏｒｔｕｎｉｔｙ）、サブフレームインデックス、フレームインデックスなどに表現することができる。
【００４８】
そして、電力制御情報と関連して、ＣＤＭＡ割り当てＡ−ＭＡＰ  ＩＥは電力レベル調節（ｐｏｗｅｒ  ｌｅｖｅｌ  ａｄｊｕｓｔ）フィールドを含むことができる。
【００４９】
そして、本発明の実施形態に係るＣＤＭＡ割り当てＡ−ＭＡＰ  ＩＥは、Ａ−ＭＡＰ  ＩＥタイプ（Ａ−ＭＡＰ  ＩＥ  Ｔｙｐｅ）フィールド及びＭＣＲＣを含む。
【００５０】
Ａ−ＭＡＰ  ＩＥタイプフィールドはＡ−ＭＡＰ  ＩＥのタイプを示す。
【００５１】
ＭＣＲＣは、端末が伝送したコードのインデックス、コードが伝送された資源などの任意接続の特性によって生成されたＲＡＩＤとマスキング指示子でマスキングされたＣＲＣである。マスキング指示子は、ＣＲＣがＲＡＩＤでマスキングされたか、それともＳＴＩＤでマスキングされたかを示す１ビットの指示子である。したがって、ＣＤＭＡ割り当てＡ−ＭＡＰ  ＩＥを受信した端末は、ＭＣＲＣを通して自分に伝送されたＣＤＭＡ割り当てＡ−ＭＡＰ  ＩＥであるかどうかを確認することができる。
【００５２】
次に、本発明の第１の実施形態に係るＣＤＭＡ割り当てＡ−ＭＡＰ  ＩＥについて説明する。
【００５３】
本発明の第１の実施形態に係るＣＤＭＡ割り当てＡ−ＭＡＰ  ＩＥは、基地局が受信した一つのＢＲコード又はレンジングコードに対するアップリンク割り当て情報を含む。
【００５４】
表２は、本発明の第１の実施形態に係るＣＤＭＡ割り当てＡ−ＭＡＰ  ＩＥのフォーマットを示したものである。
【００５５】
【表２】
0005528544.tif 000003
表２に示すように、本発明の第１の実施形態に係るＣＤＭＡ割り当てＡ−ＭＡＰ  ＩＥは、ＢＲコードに対するＣＤＭＡ割り当てＡ−ＭＡＰ  ＩＥの場合は資源インデックス（ｒｅｓｏｕｒｃｅ  ｉｎｄｅｘ）フィールド、ロングＴＴＩ指示子（Ｌｏｎｇ  ＴＴＩ  ｉｎｄｉｃａｔｏｒ）フィールド、Ｉｓｉｚｅｏｆｆｓｅｔフィールド、ＨＦＡフィールド、電力レベル調節（ｐｏｗｅｒ  ｌｅｖｅｌ  ａｄｊｕｓｔ）フィールドを含み、レンジングコードに対するＣＤＭＡ割り当てＡ−ＭＡＰ  ＩＥの場合は資源インデックスフィールド、ロングＴＴＩ指示子フィールド、Ｉｓｉｚｅｏｆｆｓｅｔフィールド、ＨＦＡフィールド、ＡＣＩＤフィールド、割り当てレリバンス（Ａｌｌｏｃａｔｉｏｎ  ｒｅｌｅｖａｎｃｅ）フィールドを含むことができる。
【００５６】
ＣＤＭＡ割り当てＡ−ＭＡＰ  ＩＥがＢＲコードに対するＣＤＭＡ割り当てＡ−ＭＡＰ  ＩＥである場合は、固定されたサイズのＢＲヘッダー伝送に必要な資源を割り当てるので、Ｉｓｉｚｅｏｆｆｓｅｔを明示的に知らせないとしても、端末は、資源インデックスとロングＴＴＩ指示子で黙示的にＭＣＳ（ｍｏｄｕｌａｔｉｏｎ  ａｎｄ  ｃｏｄｉｎｇ  ｓｃｈｅｍｅ）を知ることができる。したがって、ＣＤＭＡ割り当てＡ−ＭＡＰ  ＩＥがＢＲコードに対するＣＤＭＡ割り当てＡ−ＭＡＰ  ＩＥである場合は、Ｉｓｉｚｅｏｆｆｓｅｔフィールドを含まないこともある。しかし、ＣＤＭＡ割り当てＡ−ＭＡＰ  ＩＥがレンジングコードに対するＣＤＭＡ割り当てＡ−ＭＡＰ  ＩＥである場合は、バーストサイズが固定されていないので、ＣＤＭＡ割り当てＡ−ＭＡＰ  ＩＥはＩｓｉｚｅｏｆｆｓｅｔフィールドを含まなければならない。
【００５７】
表２から分かるように、Ａ−ＭＡＰタイプ（Ａ−ＭＡＰ  Ｔｙｐｅ）フィールドが４ビットで、ＭＣＲＣが１６ビットであるので、本発明の第１の実施形態に係るＣＤＭＡ割り当てＡ−ＭＡＰ  ＩＥは最小４０ビットから最大４５ビットであり得る。したがって、全てのＡ−ＭＡＰ  ＩＥの最大情報サイズが５６ビットに決定されると仮定する場合、残りのビットは予約ビット（ｒｅｓｅｒｖｅｄ  ｂｉｔ）又はパディングビット（ｐａｄｄｉｎｇ  ｂｉｔ）として充填される。
【００５８】
そして、本発明の第１の実施形態に係るＣＤＭＡ割り当てＡ−ＭＡＰ  ＩＥのＣＲＣは、端末が伝送したコードのインデックスとコードが伝送された資源のインデックスによって生成されたＲＡＩＤでマスキングされる。
【００５９】
次に、本発明の第２の実施形態に係るＣＤＭＡ割り当てＡ−ＭＡＰ  ＩＥについて説明する。
【００６０】
本発明の第２の実施形態に係るＣＤＭＡ割り当てＡ−ＭＡＰ  ＩＥは、基地局が受信した二つ以上のＢＲコード又はレンジングコードに対するアップリンク割り当て情報を含む。
【００６１】
表３は、本発明の第２の実施形態に係るＣＤＭＡ割り当てＡ−ＭＡＰ  ＩＥのフォーマットを示したものである。
【００６２】
【表３−１】
0005528544.tif 000004
【００６３】
【表３−２】
0005528544.tif 000005
表３に示すように、本発明の第２の実施形態に係るＣＤＭＡ割り当てＡ−ＭＡＰ  ＩＥは、ＢＲコードに対するＣＤＭＡ割り当てＡ−ＭＡＰ  ＩＥの場合は資源オフセット（Ｒｅｓｏｕｒｃｅ  ｏｆｆｓｅｔ）フィールド、複数のＢＲコードのそれぞれに対するＢＲコードインデックス（ｃｏｄｅ  ｉｎｄｅｘ）フィールド、複数のＢＲコードのそれぞれに対する資源サイズ（Ｒｅｓｏｕｒｃｅ  ｓｉｚｅ）フィールド、複数のＢＲコードのそれぞれに対するＭＣＳフィールド、複数のＢＲコードのそれぞれに対するＨＦＡフィールド、複数のＢＲコードのそれぞれに対するＡＣＩＤフィールド、複数のＢＲコードのそれぞれに対するロング（ｌｏｎｇ）ＴＴＩフィールド、複数のＢＲコードのそれぞれに対する割り当てレリバンス（Ａｌｌｏｃａｔｉｏｎ  ｒｅｌｅｖａｎｃｅ）フィールドを含むことができる。
【００６４】
そして、レンジングコードに対するＣＤＭＡ割り当てＡ−ＭＡＰ  ＩＥの場合、本発明の第２の実施形態に係るＣＤＭＡ割り当てＡ−ＭＡＰ  ＩＥは、資源オフセットフィールド、複数のレンジングコードのそれぞれに対するレンジングコードインデックス（Ｒａｎｇｉｎｇ  ｃｏｄｅ  ｉｎｄｅｘ）フィールド、複数のレンジングコードのそれぞれに対する資源サイズフィールド、複数のレンジングコードのそれぞれに対するＭＣＳフィールド、複数のレンジングコードのそれぞれに対するＨＦＡフィールド、複数のレンジングコードのそれぞれに対するＡＣＩＤフィールド、複数のレンジングコードのそれぞれに対するロングＴＴＩフィールド、複数のレンジングコードのそれぞれに対する割り当てレリバンスフィールドを含むことができる。
【００６５】
表３から分かるように、本発明の第２の実施形態に係るＣＤＭＡ割り当てＡ−ＭＡＰ  ＩＥは、ＢＲコードに対するＣＤＭＡ割り当てＡ−ＭＡＰ  ＩＥの場合はＡ−ＭＡＰタイプ（Ａ−ＭＡＰ  Ｔｙｐｅ）フィールドが４ビットで、ＭＣＲＣが１６ビットで、資源オフセットフィールドが７ビットであるので、ＣＤＭＡ割り当てＡ−ＭＡＰ  ＩＥは、最小「２７＋７＊ｎ１」ビットから最大「２７＋２１＊ｎ２」ビットであり得る。全てのＡ−ＭＡＰ  ＩＥの最大情報サイズが５６ビットに決定されると仮定する場合、ｎ１は４の値を有するようになり、ｎ２は１の値を有するようになる。すなわち、最小形態のＣＤＭＡ割り当てＡ−ＭＡＰ  ＩＥは、４個のＢＲコードのインデックスとそれに関する情報を含むことができる。
【００６６】
表３から分かるように、本発明の第２の実施形態に係るＣＤＭＡ割り当てＡ−ＭＡＰ  ＩＥは、レンジングコードに対するＣＤＭＡ割り当てＡ−ＭＡＰ  ＩＥの場合はＡ−ＭＡＰタイプフィールドが４ビットで、ＭＣＲＣが１６ビットで、資源オフセットフィールドが７ビットであるので、ＣＤＭＡ割り当てＡ−ＭＡＰ  ＩＥは、最小「２７＋７＊ｎ１」ビットから最大「２７＋２３＊ｎ２」ビットであり得る。全てのＡ−ＭＡＰ  ＩＥの最大情報サイズが５６ビットに決定されると仮定する場合、ｎ１は４の値を有するようになり、ｎ２は１の値を有するようになる。すなわち、最小形態のＣＤＭＡ割り当てＡ−ＭＡＰ  ＩＥは、４個のレンジングコードのインデックスとそれに関する情報を含むことができる。
【００６７】
そして、本発明の第２の実施形態に係るＣＤＭＡ割り当てＡ−ＭＡＰ  ＩＥのＣＲＣは、コードが伝送された資源のインデックスによって生成されたＲＡＩＤでマスキングされる。
【００６８】
本発明の第１の実施形態に係るＣＤＭＡ割り当てＡ−ＭＡＰ  ＩＥと本発明の第２の実施形態に係るＣＤＭＡ割り当てＡ−ＭＡＰ  ＩＥが同一のフィールドを含むとしても、そのフィールドのサイズは異なり得る。本発明の第１の実施形態に係るＣＤＭＡ割り当てＡ−ＭＡＰ  ＩＥと本発明の第２の実施形態に係るＣＤＭＡ割り当てＡ−ＭＡＰ  ＩＥを全てサポートするためには、Ａ−ＭＡＰ  ＩＥ内に拡張されたＡ−ＭＡＰタイプ（ｅｘｔｅｎｄｅｄ  Ａ−ＭＡＰ  ｔｙｐｅ）フィールドを追加することができる。
【００６９】
次に、本発明の第３の実施形態に係るＣＤＭＡ割り当てＡ−ＭＡＰ  ＩＥについて説明する。
【００７０】
本発明の第３の実施形態に係るＣＤＭＡ割り当てＡ−ＭＡＰ  ＩＥは、ＣＤＭＡ割り当てＡ−ＭＡＰ  ＩＥが帯域幅要請のための資源を割り当てるか、それともレンジングのための資源を割り当てるかを示すためのフィールドを含む。
【００７１】
表４は、本発明の第３の実施形態に係るＣＤＭＡ割り当てＡ−ＭＡＰ  ＩＥのフォーマットの一例を示したものである。
【００７２】
【表４】
0005528544.tif 000006
表４に示すように、本発明の第３の実施形態に係るＣＤＭＡ割り当てＡ−ＭＡＰ  ＩＥは、割り当てタイプ（Ａｌｌｏｃａｔｉｏｎ  Ｔｙｐｅ）フィールドを含む。割り当てタイプフィールドは、ＣＤＭＡ割り当てＡ−ＭＡＰ  ＩＥが帯域幅要請のための資源を割り当てるか、それともレンジングのための資源を割り当てるかを示す。割り当てタイプフィールドは２ビットであって、割り当てタイプフィールドが０ｂ００であると、ＣＤＭＡ割り当てＡ−ＭＡＰ  ＩＥが非同期レンジングに関するものであることを示し、割り当てタイプフィールドが０ｂ０１であると、ＣＤＭＡ割り当てＡ−ＭＡＰ  ＩＥが同期レンジングに関するものであることを示し、割り当てタイプフィールドが０ｂ１０であると、ＣＤＭＡ割り当てＡ−ＭＡＰ  ＩＥが帯域幅要請に関するものであることを示す。初期レンジング又はハンドオーバーレンジングが非同期レンジングに該当し、周期的レンジングが同期レンジングに該当する。
【００７３】
表５は、本発明の第３の実施形態に係るＣＤＭＡ割り当てＡ−ＭＡＰ  ＩＥのフォーマットの他の例を示したものである。
【００７４】
【表５】
0005528544.tif 000007
表５に示すように、本発明の第３の実施形態に係るＣＤＭＡ割り当てＡ−ＭＡＰ  ＩＥは、１ビットの割り当てタイプ（Ａｌｌｏｃａｔｉｏｎ  Ｔｙｐｅ）フィールドを含み、割り当てタイプフィールドが１である場合は１ビットのタイプ（Ｔｙｐｅ）フィールドを含むことができる。すなわち、割り当てタイプフィールドが０であると、ＣＤＭＡ割り当てＡ−ＭＡＰ  ＩＥが非同期レンジングに関するものであることを示し、割り当てタイプフィールドが１であると、ＣＤＭＡ割り当てＡ−ＭＡＰ  ＩＥが同期レンジング又は帯域幅要請に関するものであることを示すことができる。そして、割り当てタイプフィールドが１である場合は１ビットのタイプフィールドを含み、タイプフィールドが０であると、帯域幅要請に関するものであることを示し、タイプフィールドが１であると、同期レンジングに関するものであることを示すことができる。
【００７５】
次に、本発明の第４の実施形態に係るＣＤＭＡ割り当てＡ−ＭＡＰ  ＩＥについて説明する。
【００７６】
本発明の第４の実施形態では、基地局がアップリンク資源のみならず、ＲＮＧ−ＲＳＰメッセージ伝送のためのダウンリンク資源を割り当てるときにも使用可能なＣＤＭＡ割り当てＡ−ＭＡＰ  ＩＥを提案する。
【００７７】
基地局は、Ａ−ＭＡＰ  ＩＥを通して端末にＲＮＧ−ＲＳＰメッセージが伝送されるダウンリンク資源を知らせる。
【００７８】
このとき、基地局は、既存に定義されたダウンリンク割り当てのために使用されるダウンリンク基本割り当てＡ−ＭＡＰ  ＩＥ（ＤＬ  ｂａｓｉｃ  ａｓｓｉｇｎｍｅｎｔ  Ａ−ＭＡＰ  ＩＥ）を使用したり、既存に定義されたアップリンク割り当てのために使用されるＣＤＭＡ割り当てＡ−ＭＡＰ  ＩＥを使用したり、新しいＡ−ＭＡＰ  ＩＥを設計して使用することができる。
【００７９】
既存に定義されたアップリンク割り当てのために使用されるＣＤＭＡ割り当てＡ−ＭＡＰ  ＩＥを使用する場合は、ＣＤＭＡ割り当てＡ−ＭＡＰ  ＩＥがアップリンク資源割り当てのためのものであるか、それともダウンリンク資源割り当てのためのものであるかを指示するフィールドが必要である。そうすると、端末は、前記指示フィールドの値を確認し、ＣＤＭＡ割り当てＡ−ＭＡＰ  ＩＥがＲＮＧ−ＲＥＱメッセージのためのものであるか、それともＲＮＧ−ＲＳＰメッセージのためのものであるかを知ることができる。
【００８０】
そして、ＣＤＭＡ割り当てＡ−ＭＡＰ  ＩＥがダウンリンク資源割り当てのためのものである場合は、ＣＤＭＡ割り当てＡ−ＭＡＰ  ＩＥが初期レンジングのためのものであるか、ハンドオーバーレンジングのためのものであるか、それとも周期的レンジングのためのものであるかを指示するフィールドを追加したり、マスキング指示子を用いて区分することができる。
【００８１】
そして、ＲＮＧ−ＲＳＰメッセージが伝送されるダウンリンク資源を知らせるためのＡ−ＭＡＰ  ＩＥのＣＲＣは、ＲＡＩＤ又はＳＴＩＤでマスキングすることができる。
【００８２】
ＲＡＩＤでマスキングされる場合を見ると、ダウンリンク基本割り当てＡ−ＭＡＰ  ＩＥを使用する場合、端末は、マスキング指示子を通して一般の端末のためのダウンリンク基本割り当てＡ−ＭＡＰ  ＩＥであるか、それともレンジングを試みた端末のためのダウンリンク基本割り当てＡ−ＭＡＰ  ＩＥであるかを把握することができる。そして、Ａ−ＭＡＰ内のタイプフィールドを用いてレンジングを試みた端末に対するものであることを知らせることもできる。
【００８３】
端末は、受信されたＡ−ＭＡＰ  ＩＥのＣＲＣに対して自分のＲＡＩＤと該当するマスキング指示子を用いて自分のものであるかどうかを確認し、自分のものである場合、Ａ−ＭＡＰ  ＩＥの残りのフィールドを確認した後、ダウンリンクデータが伝達される領域をデコーディングする。
【００８４】
ＳＴＩＤでマスキングされる場合を見ると、予め定義しておいたレンジング用途のＳＴＩＤを用いてＣＲＣをマスキングする。
【００８５】
このとき、全てのレンジング（初期／ハンドオーバー／周期的）に対して同一の方法でＣＲＣをマスキングすることもでき、レンジングによってそれぞれ異なる方法を適用することもできる。例えば、初期レンジング及びハンドオーバーレンジングに対するＣＤＭＡ割り当てＡ−ＭＡＰ  ＩＥのＣＲＣはＲＡＩＤでマスキングし、周期的レンジングに対するＣＤＭＡ割り当てＡ−ＭＡＰ  ＩＥのＣＲＣはＳＴＩＤでマスキングする方法を適用することによって、呉検出確率を減少させることもできる。
【００８６】
表６は、本発明の第４の実施形態に係るＣＤＭＡ割り当てＡ−ＭＡＰ  ＩＥのフォーマットを示したものである。
【００８７】
【表６】
0005528544.tif 000008
表６に示すように、本発明の第４の実施形態に係るＣＤＭＡ割り当てＡ−ＭＡＰ  ＩＥは、ＣＤＭＡ割り当てＡ−ＭＡＰ  ＩＥがアップリンク資源割り当てのためのものであるか、それともダウンリンク資源割り当てのためのものであるかを指示するアップリンク／ダウンリンク指示子（Ｕｐｌｉｎｋ／Ｄｏｗｎｌｉｎｋ  ｉｎｄｉｃａｔｏｒ）フィールドを含む。そして、ＣＲＣは、ＲＡＩＤとマスキング指示子でマスキングされる。このとき、ＲＡＩＤは、端末が伝送したレンジングコード及びレンジングコードが伝送された資源によって決定することができる。
【００８８】
次に、本発明の第４の実施形態で提案するＣＤＭＡ割り当てＡ−ＭＡＰ  ＩＥを用いたレンジング手順を図２を参照して説明する。
【００８９】
図２は、本発明の第４の実施形態で提案するＣＤＭＡ割り当てＡ−ＭＡＰ  ＩＥを用いたレンジング手順を示した図である。
【００９０】
図２に示すように、端末が基地局にレンジングコードを伝送する（Ｓ２１０）。そうすると、レンジングコードを受信した基地局は、ＣＤＭＡ割り当てＡ−ＭＡＰ  ＩＥを通して端末にアップリンク資源を割り当てる（Ｓ２２０）。このとき、端末が伝送したレンジングコード及びレンジングコードが伝送された資源によって決定されたＲＡＩＤを５５とすると、ＣＤＭＡ割り当てＡ−ＭＡＰ  ＩＥのＣＲＣは５５とマスキング指示子によってマスキングされる。
【００９１】
端末は、割り当てられたアップリンク資源を通してＲＮＧ−ＲＥＱメッセージを基地局に伝送する（Ｓ２３０）。ＲＮＧ−ＲＥＱメッセージを受信した基地局は、ＲＮＧ−ＲＳＰメッセージを伝送するダウンリンク資源をＣＤＭＡ割り当てＡ−ＭＡＰ  ＩＥを通して端末に割り当てる（Ｓ２４０）。このとき、ＣＤＭＡ割り当てＡ−ＭＡＰ  ＩＥのＣＲＣは５５とマスキング指示子によってマスキングされる。そして、基地局は、割り当てられたダウンリンク資源を通してＲＮＧ−ＲＳＰメッセージを端末に伝送する（Ｓ２５０）。
【００９２】
図３は、本発明の更に他の実施形態として、上述した本発明の各実施形態を具現できる移動端末及び基地局の構成を示す図である。
【００９３】
移動端末（ＡＭＳ）及び基地局（ＡＢＳ）は、情報、データ、信号及び／又はメッセージなどを送受信できるアンテナ３００、３１０と、アンテナを制御することによってメッセージを伝送する伝送モジュール（Ｔｘ  ｍｏｄｕｌｅ）３４０、３５０と、アンテナを制御することによってメッセージを受信する受信モジュール（Ｒｘ  ｍｏｄｕｌｅ）３６０、３７０と、基地局との通信と関連した各情報を格納するメモリ３８０、３９０と、伝送モジュール、受信モジュール及びメモリを制御するプロセッサ３２０、３３０とをそれぞれ含む。このとき、基地局は、フェムト基地局又はマクロ基地局であり得る。
【００９４】
アンテナ３００、３１０は、伝送モジュール３４０、３５０で生成された信号を外部に伝送したり、外部から無線信号を受信して受信モジュール３６０、３７０に伝達する機能を行う。多重アンテナ（ＭＩＭＯ）機能がサポートされる場合は、２個以上のアンテナを備えることができる。
【００９５】
プロセッサ３２０、３３０は、通常、移動端末又は基地局の全般的な動作を制御する。特に、プロセッサは、上述した本発明の各実施形態を行うための制御機能、サービス特性及び伝播環境によるＭＡＣ（Ｍｅｄｉｕｍ  Ａｃｃｅｓｓ  Ｃｏｎｔｒｏｌ）フレーム可変制御機能、ハンドオーバー機能、認証及び暗号化機能などを行うことができる。さらに、プロセッサ３２０、３３０は、多様なメッセージの暗号化を制御できる暗号化モジュールと、多様なメッセージの送受信を制御するタイマーモジュールとをそれぞれ含むことができる。
【００９６】
伝送モジュール３４０、３５０は、プロセッサからスケジューリングされて外部に伝送される信号及び／又はデータに対して所定の符号化及び変調を行った後、これをアンテナ３００、３１０に伝達することができる。
【００９７】
端末の伝送モジュール３５０は、基地局にレンジングコード又はＢＲコードを伝送し、基地局の伝送モジュール３４０は、端末に帯域幅要請のための資源を割り当てるか、それともレンジングのための資源を割り当てるかを示すフィールドを含むＣＤＭＡ割り当てＡ−ＭＡＰ  ＩＥを伝送する。
【００９８】
基地局が端末からレンジングコードを受信し、ＣＤＭＡ割り当てＡ−ＭＡＰ  ＩＥを通してレンジングのための資源を割り当てる場合、ＣＤＭＡ割り当てＡ−ＭＡＰ  ＩＥは、ＣＤＭＡ割り当てＡ−ＭＡＰ  ＩＥがアップリンク資源を割り当てるか、それともダウンリンク資源を割り当てるかを示すフィールドをさらに含む。
【００９９】
そして、ＣＤＭＡ割り当てＡ−ＭＡＰ  ＩＥが帯域幅要請のための資源を割り当てる場合は、バーストサイズを計算するのに使用されるオフセットを示すフィールドを含まず、ＣＤＭＡ割り当てＡ−ＭＡＰ  ＩＥがレンジングのための資源を割り当てる場合は、前記オフセットを示すフィールドを含む。
【０１００】
受信モジュール３６０、３７０は、外部からアンテナ３００、３１０を介して受信された無線信号に対する復号及び復調を行い、これを原本データの形態に復元してプロセッサ３２０、３３０に伝達することができる。
【０１０１】
基地局の受信モジュール３６０は、端末からレンジングコード又はＢＲコードを受信し、端末の受信モジュール３７０は、基地局から帯域幅要請のための資源を割り当てるか、それともレンジングのための資源を割り当てるかを示すフィールドを含むＣＤＭＡ割り当てＡ−ＭＡＰ  ＩＥを受信する。
【０１０２】
メモリ３８０、３９０は、プロセッサの処理及び制御のためのプログラムを格納することもでき、入出力される各データ（移動局の場合、基地局から割り当てられたアップリンクグラント（ＵＬ  ｇｒａｎｔ）、システム情報、ステーション識別子（ＳＴＩＤ）、フロー識別子（ＦＩＤ）、動作時間、領域割り当て情報及びフレームオフセット情報など）の臨時格納のための機能を行うことができる。
【０１０３】
また、メモリは、フラッシュメモリタイプ、ハードディスクタイプ、マルチメディアカードマイクロタイプ、カードタイプのメモリ（例えば、ＳＤ又はＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも一つのタイプの格納媒体を含むことができる。
【０１０４】
上述したように開示された本発明の好適な各実施形態に対する詳細な説明は、当業者が本発明を具現して実施できるように提供された。以上では、本発明の好適な各実施形態を参照して説明したが、該当の技術分野の熟練した当業者であれば、本発明の領域から逸脱しない範囲内で本発明を多様に修正及び変更可能であることを理解できるだろう。例えば、当業者であれば、上述した各実施形態に記載した各構成を互いに組み合わせる方式で用いることができる。
【０１０５】
したがって、本発明は、ここで開示された各実施形態に制限されるものではなく、ここで開示された各原理及び新規の特徴と一致する最広の範囲を与えるためのものである。
【図１】
0005528544.tif 000009
【図２】
0005528544.tif 000010
【図３】
0005528544.tif 000011